(57)【要約】【課題】  データ項目の変更を容易とすること。また、通信や読み込みに要する時間を短縮すること。【解決手段】  電気通信システムは、電気通信回線を通して接続された第１の端末と第２の端末とを有し、ファイル名とデータとを含むファイルを前記第１の端末と前記第２の端末との間で送受信する電気通信システムであり、ファイル名はデータの種類を識別する第１の識別コードが含む構成とする。ファイル名は各ファイルを個々に識別するものであり、このファイル名にデータの種類を識別する第１の識別コードを持たせることによって、ファイル名中の第１の識別コードのみによってファイルに格納するデータの種類が定まるため、ファイル名を定めることで不要なファイルの作成を防ぐ。【選択図】  図１
2005293190.tif 000002
【特許請求の範囲】
【請求項１】
電気通信回線を通して接続された第１の端末と第２の端末とを有し、ファイル名とデータとを含むファイルを前記第１の端末と前記第２の端末との間で送受信する電気通信システムであり、
前記ファイル名は、前記データの種類を識別する第１の識別コードを含むことを特徴とする電気通信システム。
【請求項２】
測定データと当該測定データの種類を識別する第２の識別コードとを前記第１の端末へ送信する測定装置をさらに有し、
前記第１の端末は前記第２の識別コードに基づいてファイル名に前記第１の識別コードを付与することを特徴とする請求項１に記載の電気通信システム。
【請求項３】
前記第１の端末は、前記第１の識別コード別にファイルを作成することにより、
前記測定装置から送信される複数種類の測定データを、種類毎の別ファイルに格納することを特徴とする請求項２に記載の電気通信システム。
【請求項４】
前記データは、前記測定データと当該測定データに対応づけられた時刻データとを含み、
前記第１の端末装置は、１つのファイル内に含まれる複数の測定データに対応づけられた時刻データのうち、共通する一部の情報をファイル名に付与し、残りの情報を前記測定データ内に付与することを特徴とする請求項２又は３に記載の電気通信システム。
【請求項５】
前記時刻データに含まれる情報において、前記ファイル名に付与する情報は年月の情報であり、前記測定データに付与する情報は日時分の情報であることを特徴とする請求項４に記載の電気通信システム。
【請求項６】
前記ファイル名は、ユーザーを識別する第３の識別コードを含むことを特徴とする請求項１乃至４の何れかに記載の電気通信システム。
【請求項７】
前記測定装置は、測定データの種類を識別する第２の識別コードに加えて、ユーザーを識別するＩＤを送信し、
前記第１の端末は前記ＩＤに基づいてファイル名に第３の識別コードを付与することを特徴とする請求項１に記載の電気通信システム。
【請求項８】
前記第３の識別コードは、各ユーザーに設定されたユーザー暗証番号であることを特徴とする請求項７に記載の電気通信システム。
【請求項９】
前記第１の端末は、付与されている第３の識別コードが同一である複数のファイルを一括送信することを特徴とする請求項６乃至８のいずれかに記載の電気通信システム。
【請求項１０】
前記第１の端末は、前記ファイルを電子メール形式で送信すると共に、当該電子メールの表題に、前記第３の識別コードに対応した文字列を付与することを特徴とする請求項９に記載の電気通信システム。
【請求項１１】
前記測定装置と着脱自在で、測定装置の測定データを前記第１の端末に送信する送信アダプタを備え、
当該送信アダプタはユーザーに固有のＩＤを設定自在とし、
当該送信アダプタは、前記測定装置に装着することにより測定装置の測定データと共にＩＤを第１の端末に送信することを特徴とする請求項７に記載の電気通信システム。
【発明の詳細な説明】
【技術分野】
【０００１】
本発明は、電気通信システムに関し、データをファイル形式で送信する際のファイル形態に関する。
【背景技術】
【０００２】
従来、個人の健康管理は、体温計、心拍計、体重計等の単一機能の専用機により行われる他、民生用の身体測定機器をコンピュータと組み合わせて計測、記録するものも知られている。一方、病院内では、業務用機器を院内のネットワークに接続し、専用のコンピュータで管理されている。
【０００３】
このような状況では、被測定者個人が自分の身体情報を日常的に持ち歩くことは困難であり、簡易に数値的な分析を行うことも困難であることから、簡易に数値的な分析を行うことを目的とした健康管理システムが提案されている（例えば、特許文献１参照）。
【０００４】
上記文献の健康管理システムでは、半導体メモリ内のデータ構造を階層構造とし、第１層のＲＯＯＴ内に、“半導体メモリＩＤ”と第２階層を格納している。第２階層は、例えば、個人データ、健康データ、参照データ等により構成し、所定の記憶フィールドに記憶している。健康データは、所定のプロトコルに基づいてネットワークを介してデータベースに送って格納することができる。
【０００５】
また、各種の測定データをデータ送信する際、インターネットを経由した電子メールを利用することが提案されている。この際、各データ項目をＣＳＶフォーマットの連絡文章に文字置換し、この連絡文章からＨＴＭＬやＸＭＬ文章の電子メールを作成することが提案されている（特許文献２参照）。
【特許文献１】特開２００３−８５２９１
【特許文献２】特開２００２−１８３０４６
【発明の開示】
【発明が解決しようとする課題】
【０００６】
複数種類のデータを送信する際、従来用いられるデータ形式では予め固定ファイルを設定しておき、この固定ファイルの所定項目部分に各データを格納している。図１８は、従来の固定ファイルの一例を説明するための概略図である。
【０００７】
固定ファイルは１つのファイル内に複数種類のデータが格納できるように、予め最大ｎ個のデータが格納できるように、日時毎にｎ個のデータ項目を用意しておく。例えば、ｎ種類のデータについて１ヶ月分のデータを格納するためには、ｎ種類×３０個のデータ項目を持つ固定ファイルを設定しておく。
【０００８】
この固定ファイルの各データ項目に対して格納するデータの種類を定めることによって、複数種類のデータを格納する。このとき、格納するデータの種類数がｎ種類以下である場合には格納されないデータ項目が生じる。固定ファイルを送信するには、用意されたデータ項目内の全てに何らかのデータが存在している必要があるため、格納するデータがないデータ項目にはダミーデータが格納される。
【０００９】
このような固定ファイルによる場合には、データを格納しないデータ項目にもダミーデータを格納する必要があるため、ファイルのデータサイズが大きくなり、通信や、読み込みに時間がかかるという問題がある。
【００１０】
図１９は、測定データを固定ファイルに格納する例である。図１９（ａ）において、固定ファイルに測定値１〜測定値５の５個のデータ項目が予め設定されている。この固定ファイルを用いて、例えば、最高血圧、最低血圧、脈拍数、体脂肪率を送信する場合には５個のデータ項目中の測定値１〜測定値４の４個のデータ項目に各データを格納し、残りの測定値５のデータ項目にはダミーデータａａａ（例えば、“０００”）を格納する。したがって、測定値５のデータ項目は無意味なデータを送ることになり、その分通信速度が低下し、また、読み込み時間を要することになる。
【００１１】
図１９（ｂ）は、前記５つの測定値に加えて体重値と歩数値の測定値を追加する場合を示している。図１９（ａ）の固定ファイルは５個のデータ項目を備え、この内測定値５のデータ項目は空き項目であるため、例えば体重値はこの測定値５に格納することができるが、歩数値については固定ファイルには余剰のデータ項目がないため格納することができない。さらにデータを追加して格納するには、図１９（ｂ）に示すように６個のデータ項目を備えた固定ファイルを設定し直さなければならない。
【００１２】
上記したように、固定ファイルでは、格納するデータ数の変更が自由にできないという問題がある。特にデータ数を増加することは困難であり、新たに設定する必要がある。また、固定ファイルでは、不使用のデータ項目についてもダミーデータを格納する必要があるため、通信や読み込みに時間がかかるという問題がある。
【００１３】
そこで、本発明は従来の問題を解決し、データ項目の変更を容易とすることを目的とし、また、通信や読み込みに要する時間を短縮することを目的とする。
【課題を解決するための手段】
【００１４】
本発明は、１ファイルは１種類のデータを格納する構成とすることによってファイルの自由度を高め、データ項目の変更に対して容易に対応することができる。また、これにより、不要なデータ項目の通信や読み込みが不要となるため、通信や読み込みに要する時間を短縮することができる。
【００１５】
１ファイルに１種類のデータを格納する構成は、データの種類毎にファイルを形成することで行うことができる。このデータ種毎のファイル形成は、ファイルを構成するファイル名に識別コードを設け、この識別コードによってデータの種類を識別し、当該識別コードに対応したデータを格納することで行うことができる。
【００１６】
本発明の電気通信システムは、電気通信回線を通して接続された第１の端末と第２の端末とを有し、ファイル名とデータとを含むファイルを前記第１の端末と前記第２の端末との間で送受信する電気通信システムであり、ファイル名はデータの種類を識別する第１の識別コードが含む構成とする。
【００１７】
ファイル名は各ファイルを個々に識別するものであり、このファイル名にデータの種類を識別する第１の識別コードを持たせることによって、ファイル名中の第１の識別コードのみによってファイルに格納するデータの種類が定まるため、ファイル名を定めることで不要なファイルの作成を防ぐことができる。また、ファイル名からファイルに格納されているデータの種類を識別することができる。
【００１８】
健康管理システム等の、測定機器で測定した測定データを管理するデータ管理システムでは、前記第１の端末は被測定者側の端末に対応し、前記第２の端末は外部のサーバーに対応する。被測定者が測定した測定データは第１の端末に集められ、第２の端末に送られてデータ解析あるいはデータ管理が行われる。
【００１９】
このとき、第１の端末において、測定データのデータ種類毎にファイルを形成する。測定データの種類が増加した場合には、増えたデータ種類についてのみ新たにファイルを形成することで対応することができる。また、測定データの種類が減少した場合には、減ったデータ種類のファイルについてはファイルの形成を行わないことで対応することができる。
【００２０】
また、同じデータ種類については、ファイル名に同じ第１の識別コードが付されるため、ファイルの重複を除くことができる。したがって、形成されるファイルの数は送信される測定データの種類の数と同数となり、常に形成されるファイル数は最適な数となる。
【００２１】
また、本発明は、前記第１の端末と第２の端末に加えて、第１の端末へ送信する測定装置をさらに有する構成とすることができる。この測定装置は、被測定者側が使用する種々の測定機器とすることができ、例えば、体温計、血圧計、体脂肪計、体重計等とすることができる。この各測定装置から第１の端末に測定データを送る際に、測定データにその測定データの種類を識別する第２の識別コードを付加する。第１の端末は、各測定装置から送られた測定データに付されている第２の識別コードを読み取り、この第２の識別コードに対応する第１の識別コードをファイル名に付与すると共に、そのファイルに測定データを格納する。
【００２２】
これによって、各測定装置で測定された測定データは、データ種類毎に形成されるファイルに格納される。
【００２３】
第１の端末は、測定装置から複数種類の測定データが送信された場合には、第１の識別コード別にファイルを作成することにより、種類毎に作成した別ファイルに格納する。
【００２４】
さらに、データは、測定データとその測定データの測定時などの測定データに対応づけられた時刻データとを含む構成とすることができる。
【００２５】
第１の端末装置は、１つのファイル内に複数の測定データが含まれるとき、その測定データに対応づけられた時刻データのうちで、共通する一部の情報をファイル名に付与し、残りの情報を測定データ内に付与する。
【００２６】
これにより、時刻データの一部を同じファイルにおいて共有化させて、データサイズを減らすことができる。
【００２７】
時刻データに含まれる情報において、ファイル名に付与する情報を年月の情報とし、測定データに付与する情報を日時分の情報とすることができる。これにより、ファイルを年単にあるいは月単位でまとめることができる。
【００２８】
なお、ファイルをまとめる単位は、年単位、月単位の他、週単位や所定日数単位とすることもできる。
【００２９】
さらに、本発明のファイルは、ファイル名中にユーザーを識別する第３の識別コードを含む構成とすることもできる。これによって、データの種類毎に加えてユーザー毎にファイルを形成することができる。
【００３０】
また、測定装置は、測定データの種類を識別する第２の識別コードに加えてユーザーを識別するＩＤを第１の端末に送信する構成とすることができる。第１の端末は、ＩＤと第３の識別コードとの対応関係を用意しておき、測定装置から送信されたＩＤに基づいてこの対応関係から第３の識別コードを読み出し、読み出した第３の識別コードをファイル名に付与する。これにより、測定装置からＩＤを送ることで、ファイル名にユーザーを識別する情報を自動で付与することができる。
【００３１】
ファイル名に付与する、第３の識別コードは、各ユーザーに設定されたユーザー暗証番号とすることができ、これによって、ファイルを送信する際のセキュリティを高めることができる。
【００３２】
第１の端末は、形成した複数のファイルを第２の端末に送信する際に、ファイルに付与されている第３の識別コードを指標として同一の第３の識別コードが付されたファイルを抽出し、これら複数のファイルを第２の端末に一括送信することができる。
【００３３】
これによれば、第３の識別コードを検索キーとして同一のユーザーのデータをファイル単位でまとめて外部サーバー等に一括送信することができる。このとき、ファイルに付与した時刻データを検索キーとすることにより、例えば、週単位、月単位等の所定の期間内の測定されたデータをまとめることができ、特定の被測定者について所定の期間内の測定データを一括して送信することができる。
【００３４】
第１の端末は、ファイルを電子メールの形態で送信することができる。ファイルを電子メール形式で送信する場合には、電子メールの表題部分に第３の識別コードに対応した文字列を付与し、送信内容部分にデータを付与する。測定データを送信する場合に、表題部分に付与する文字列として例えば被測定者の氏名を用いることにより、電子メールの受信者に対して被測定者の氏名を通知することができる。
【００３５】
また、この電子メールの表題部分に第１の識別コードに対応した文字列を付与してデータ種別を表記し、電子メールの受信者に対して送信データのデータ種別を通知することができる。
【００３６】
また、測定装置から第１の端末への送信を、測定装置と別に用意した送信アダプタを利用することができる。測定装置と着脱自在で、測定装置の測定データを前記第１の端末に送信する送信アダプタを用意し、この送信アダプタはユーザーに固有のＩＤを設定自在とする。送信アダプタは、測定装置に装着することにより測定装置の測定データと共に設定したＩＤを第１の端末に送信する。
【００３７】
これにより、第１の端末には、測定装置で測定した測定データと、ユーザーを特定するＩＤ情報とを送ることができる。送信アダプタに各ユーザーのＩＤを設定することにより、測定装置が複数のユーザーが使用する状態であっても、各ユーザーの測定データを識別して第１の端末に送信することができる。
【００３８】
また、送信アダプタをＩＤが設定されたたユーザーに固有の装置とすることで、ユーザーは各測定装置に装着するだけで、ＩＤを入力する操作を行うことなく各自の測定データをＩＤ情報と共に第１の端末に送信することができる。
【発明の効果】
【００３９】
本発明によれば、識別コードに対応するデータのみを送信するようにしたため、不要なデータを送らなくてもよく、データサイズが小さくなり、通信・読み込み速度が速くなる。
【発明を実施するための最良の形態】
【００４０】
以下、本発明の電気通信システムについて図を用いて詳細に説明する。
【００４１】
図１は、本発明の電気通信システムの概略構成及びデータ状態を説明するための概略図である。なお、以下では送信データとして測定データの場合について示している。
【００４２】
図１において、複数の測定装置で測定した複数の測定データは第１の端末（データ管理装置）に送られ、送られた測定データはこの第１の端末においてファイルの形態に形成され、形成されたファイルは第２の端末（外部サーバー）に一括送信される。
【００４３】
各測定装置は、測定データを第１の端末に送る際、ユーザーＩＤと測定データとを組みにして送る。ユーザーＩＤに付される“ｎ”は、被測定者であるユーザーを識別するユーザー識別コードとして用いることができる。なお、“ｎ”はユーザー毎に設定することができる。
【００４４】
また、測定データには、測定データの種類を識別するデータ種識別コード（第２識別コード）、及び測定時刻の時刻データを付与する。
【００４５】
第１の端末は、複数の測定装置から上記した測定データとＩＤとを受信し、受信した情報に基づいてデータ種類毎にファイルを形成する。
【００４６】
形成される各ファイルは、ファイル名とデータとからなる。ファイル名には、測定データの種類を識別するデータ種識別コード（第１識別コード）と、ユーザーを識別する例えばユーザー暗証番号（第３識別コード）が付与される。一方、データには、測定データが付与される。
【００４７】
第１識別コードは、測定装置から送られた第２識別コードに基づいて設定される。この第１識別コードの設定は、予め定めておいた第１識別コードと第２識別コードとの対応関係を用いて行うことができる。
【００４８】
また、第３識別コードは、測定装置から送られたＩＤに基づいて設定される。この第３識別コードの設定も、第１識別コードと同様に、予め定めておいた第３識別コードとＩＤとの対応関係を用いて行うことができる。
【００４９】
本発明では、ユーザーを識別する識別コードとして、“ｎ”で表されるＩＤと、第３の識別コードの２つを設定することができる。ここで“ｎ”で表されるＩＤは例えば２ビットで表す場合には、最大で４人までしか識別することができない。そのため、“ｎ”のＩＤによる識別コードでは、例えば家庭内等の少人数に適用することができる。複数の第１の端末（データ管理装置）からファイルが送られてくる第２の端末（外部サーバー）では、“ｎ”のＩＤによる識別コードだけでは多数のユーザーを識別することができないため、第３の識別コードをファイル名に付与することによってユーザーの識別を行う。
【００５０】
また、ファイル名にＩＤの“ｎ”による識別コードを付与するには、第３の識別コードと“ｎ”との一致を確認することによってデータの信頼性を高めるためである。
【００５１】
また、ファイル名及びデータには、時刻データを付与することができる。時刻データの内、ファイル名には例えば年月等の各ファイルに共通する時刻データを付与し、データ部分には例えば日時分等の測定データ毎の時刻データを付与する。これにより、各ファイルに共通する時刻データはファイル名に共通化して表すことができる。なお、ファイル名に付与する時刻データは年月に限るものではなく、ファイルを週単位で形成する場合には、ファイル名に年月に加えて週の時刻データを付与することができる。
【００５２】
端末（第１の端末）は、形成したファイルをデータ種毎に形成したファイル単位で第２の端末（外部サーバー）に送信する。ファイル単位で送信することにより、従来のように有用なデータが格納されていないデータ項目を含む大きなデータサイズで送ることがないため、送信速度や読み込み速度を速めることができる。
【００５３】
第２の端末では、第１の端末から送信されたファイルに基づいて所定のデータ構成に組み替えることができる。例えば、各ユーザーが測定した各種測定データを月単位で集計することができる。このとき、ファイル名に付与されたユーザー暗証番号（第３識別コード）から対応するユーザー名を読み出し、同じくファイル名に付与された第１識別コードからデータ種別を読み出す。なお、第２の端末で行うデータ集計の形態は任意に定めることができる。
【００５４】
図２は、本発明のファイルの一例であり、生体測定値の例を示している。ファイルはファイル名とファイル内容であるデータとからなる。ファイル名は、ユーザーを識別するユーザー暗証番号等の第３識別コード、年月等のファイルに共通する時刻データ、測定値の種類を表す第１識別コード、ユーザーＩＤ等を含み、データの種類に応じて設定される。
【００５５】
図２において、第１識別コード中のＳＹＳ，ＤＩＡ，ＰＬＳは血圧測定装置で得られる測定値の内でそれぞれ最高血圧、最低血圧、及び脈拍数を表し、ＦＡＴ，ＴＡＩは体重測定装置で得られる体脂肪率値及び体重値を表し、ＰＯＡは歩数計で得られる歩数値を表している。また、他の測定装置で得られる測定値についても、ＡＢＣ，ＤＥＦ等任意に第１識別コードを付与することができる。
【００５６】
また第３識別コードは、ユーザー暗証番号に限らず、ユーザーを特定するものであれば氏名等任意に設定することができる。
【００５７】
データ内には、例えば、最高血圧，最低血圧，脈拍数，体脂肪率値，体重値，歩数値等のデータが第１識別コードに対応して格納される。
【００５８】
以下、図３，４を用いて本発明の電気通信システムの各構成部分について説明する。図３はデータ管理装置（第１の端末）の一構成例である。図３において、複数の生体測定装置２Ａ〜２Ｎは、それぞれ測定した測定データをデータ管理装置３に送る。データ管理装置３は、送られた測定データに基づいてファイルを形成し、外部サーバー４（第２の端末）に送信する。
【００５９】
データ管理装置１は、各生体測定装置２から送られる測定データを受信する第１送受信回路３ａと、測定データに基づいてファイル形成や所定演算を行う制御／演算回路３ｂと、形成したファイルを記憶する記憶装置３ｃと、操作装置３ｄと、測定データをグラフ化するグラフ化回路３ｅと、測定データや制御／演算回路３ｂによる演算結果、あるいはグラフ化回路３ｅで形成したグラフを表示する表示装置３ｆ、制御／演算回路３ｂで形成したファイルを外部サーバーに送信する第２送受信回路３ｇを備える。
【００６０】
制御／演算回路３ｂは、各生体測定装置２から入力した測定データ及びＩＤに基づいて、データ種類毎にファイルを形成し、そのファイル名にデータ種別を識別するための第１識別コードを付与する。
【００６１】
また、図４は生体測定装置２の一構成例である。図４において、生体測定装置２は、電源スイッチ２ａと、血圧、脈拍、体温、体脂肪率、体重等の各生体状態を検出する生体検出装置２ｂと、測定の開始あるいは停止を行う測定スイッチ２ｃと、生体検出装置２ｂの出力を監視して測定に異常が発生したか否か判定する測定異常判定回路２ｄと、生体検出装置２ｂの検出結果から生体測定データを求める等の演算、及び各種制御を行う制御／演算回路２ｅと、検出結果，演算により求めた生体測定データを記憶すると共に、測定データの種別を表す第２識別コードを記憶しておく記憶装置２ｆと、ＩＤや測定データをデータ管理装置３に送る送受信回路２ｇとを備える。
【００６２】
制御／演算回路２ｅは、データ種別を表す第２識別コードを組み込んだ測定データと、ユーザーを識別するＩＤとを送受信回路２ｇからデータ管理装置３に送信する。
【００６３】
なお、ユーザーを識別するＩＤは入力装置（図示していない）から入力する他、生体測定装置と組み合わせて送信処理を行う送信アダプタ（図示していない）により入力し、この送信アダプタを生体測定装置の送受信回路２ｇと組み合わせることにより、ＩＤをデータ管理装置３に送信する。
【００６４】
送信アダプタにおいて、ＩＤは設定スイッチの切換によってユーザー毎に設定自在とするほか、各ユーザーが各ＩＤが設定された固有の送信アダプタを所有するようにしてもよい。例えば、２個の設定スイッチを設けることによって、４ユーザーを設定することができる。
【００６５】
次に、本発明を体重測定に適用した例について、図５〜図１１を用いて説明する。
【００６６】
図５は体重測定におけるデータ形態の遷移を説明する図である。ここで、体重計で測定された測定データはデータ管理装置に送られ、データ管理装置はファイルを形成して外部サーバーに送る。
【００６７】
体重計からはＩＤとデータがデータ管理装置に送られる。体重計で形成されるＩＤは体重計の機器を表す機器コード“ＢＵＹ”とＩＤナンバー“ｎ”により構成することができる。また、体重計で形成されるデータは、体重測定を表す“ＴＡＩ”とＩＤナンバー“ｎ”と測定データ“＃＃＃”と時刻データとから構成される。
【００６８】
ＩＤナンバー“ｎ”はユーザーを識別するためのユーザー識別コードであり、“ＴＡＩ”はデータ種別を表す第２識別コードである。
【００６９】
データ管理装置は、体重計から入力したＩＤとデータとを用いてファイルを形成する。ファイルはファイル名とデータから構成される。ファイル名には、ユーザーを特定する第３の識別コード、年月、データ種別を表す第１識別コード等が付され、データ部分には日時分、及び測定データが格納される。
【００７０】
このファイル形成において、データ種別を表す第１識別コードは第２識別コードに基づいて設定され、また、ユーザーを識別する第３識別コードはＩＤナンバーに基づいて設定される。これらの識別コードの設定は、第１識別コードと第２識別コードとの対応関係、及び第３識別コードとＩＤナンバーとの対応関係を予め記憶しておくことにより行うことができる。
【００７１】
データ管理装置で形成されたファイルは、外部サーバーに送信される。外部サーバーでは、データ管理装置から送信されたファイルに基づいてデータ管理を行う。このデータ管理において、ユーザーの特定は第３識別コードに基づいて行われる。例えば、第３識別コードがユーザー暗証番号である場合には、ユーザー暗証番号とユーザー名との対応関係を用意しておき、この対応関係に基づいて送信されたデータ名中に付与されたユーザー暗証番号からユーザー名を読み出すことで行うことができる。
【００７２】
図６は、体重測定におけるデータ送信の流れを説明するためのフローチャートである。なお、文中の（）に示す番号は、図６に付した番号と対応している。
【００７３】
はじめに、体重計の電源をオンとして（１）、体重計に設定されているＩＤ、及び機器コードをデータ管理装置に送信する（２）。このＩＤはユーザーを識別するものであり、データ管理装置は、体重計から受け取ったＩＤを確認する。また、機器コードから測定データの送信先が体重計であることを確認する。データ管理装置は、このユーザーと体重計の確認に基づいて、データ管理装置に記録している各ユーザーの過去の測定データを読み出し、表示することができる（３）。
【００７４】
また、データ管理装置は、機器コードに基づいて体重測定に関するガイダンスを体重計に送信する。このガイダンスは、体重測定に関連する指示や案内の他、各ユーザーに伝える連絡事項とすることもできる（４）。
【００７５】
測定者は、表示されたガイダンスを参考にして体重測定を行う（５，６）。体重計は、測定結果を表示し（７）、測定データをＩＤナンバーと共にデータ管理装置に送信して（８）、電源をオフとして測定を完了する（９）。
【００７６】
データ管理装置では、体重計からのＩＤナンバー及び測定データを受信し（１０）、これらに基づいてデータ種別毎にファイルを形成する（１１）。形成されたファイルは蓄積され、所定時期あるいは送信操作により、外部サーバーに送信する。所定時期は、月単位や週単位の他、任意に設定した期間を単位と設定することができる（１２）。
【００７７】
外部サーバーは、データ管理装置から送信されたファイルを受信し（１３）、データの記録や解析を行う。このデータの記録や解析において、ファイルのファイル名に付された第１識別コードや第３識別コードを参照することによって、送られた測定データのデータ種別や、ユーザーを識別することができる（１４）。
【００７８】
図７は体重計からデータ管理装置に送られるデータの形態を説明するための図である。体重計から送られるデータは、ＩＤ部とデータ部とから構成される。
【００７９】
図７（ａ）はＩＤ部の一例である。ここで、はじめの“ＦＦＦＦＦＦＦＦＦＦ”はＩＤ部のデータの始まりを表し、“ＢＵＹ”は機器が体重計であることを表す機器コードを表し、“ｎ”はユーザーのＩＤナンバーを表している。ここで“ＢＵＹｎ”は複数回（例えば５回）繰り返される。また、最後の“ＲＲＲＲＲＲＲＲＲＲ”はＩＤ部のデータの終わりを表し、“￥ｒ”は改行コードを表している。
【００８０】
また、図７（ｂ）はデータ部の一例である。ここで、はじめの“ＦＦＦＦＦＦＦＦＦＦ”はデータ部のデータの始まりを表し、“ＴＡＩ”は測定データの種別が体重であることを表し“ｎ”はユーザーのＩＤナンバーを表し、“＃＃＃”はデータ値を表している。ここで“ＴＡＩｎ”は複数回（例えば５回）繰り返される。また、最後の“ＲＲＲＲＲＲＲＲＲＲ”はデータ部のデータの終わりを表し、“￥ｒ”は改行コードを表している。図７（ｃ）はデータ値の一例である。
【００８１】
また、図７（ｄ）はＩＤナンバーｎの設定例を示している。ＩＤナンバーを２つの設定値ＩＤ１とＩＤ２で設定する場合には、“ｎ”は１〜４の４種類を設定することができる。この各ｎの値に対して利用者Ａ〜Ｄを対応づけておくことにより、ＩＤナンバーｎによって利用者Ａ〜Ｄを特定することができる。
【００８２】
なお、ここでは、ＩＤナンバーｎを１〜４の４種類としているが、設定値の個数を増やすことでより多くのＩＤナンバーｎを設定することができる。
【００８３】
図８は、体重計からデータ管理装置への送信を行う一構成例を説明するための図である。本発明の測定装置は、データ管理装置へのデータ送信において無線カートリッジ等の送信アダプタを利用することができる。
【００８４】
送信アダプタは、測定装置で測定した測定データをデータ管理装置に送信するために、測定装置から送信データを取得して送信処理を行う。
【００８５】
図８に示す無線カートリッジ（送信アダプタ）は、体重計と組み合わせた場合を示している。無線カートリッジは、ＩＤナンバーを設定するための設定スイッチを備え、このスイッチを切り換えでＩＤ１とＩＤ２を設定することによって、前記図７（ｄ）に示したようにＩＤナンバーを設定することができる。
【００８６】
無線カートリッジと体重計とを接続すると、無線カートリッジに設定されているＩＤナンバーは体重計本体のＣＰＵに送られる。ＣＰＵは、送られたＩＤナンバーを用いて前記図７（ａ）に示すようなＩＤ部を形成し、また、測定した体重値を用いて前記図７（ｂ）に示すようなデータ部を形成する。さらに、ＣＰＵは、形成したＩＤ部及びデータ部を用いて送信信号（シリアル送信データＴＸ，コントロール信号Ｖ−ＣＯＮＴ）を形成し、無線カートリッジに送る。無線カートリッジは、送られた送信信号をアンテナから送信する。図８に示す構成例では、アンテナを体重計本体に設ける構成であり、この構成では無線カートリッジのアンテナ端子から体重計本体のアンテナに送信信号が送られることにより送信が行われる。
【００８７】
送信信号はシリアル送信データ，コントロール信号からなり、図９はシリアル送信データ，コントロール信号の一例を示している。
【００８８】
図９（ａ）はＩＤ送信部分の送信信号の一例であり、コントロール信号V-CONTがオン状態の間に、ＩＤ部のシリアル送信データＴＸが複数回（図示する例では３回）送信される。また、図９（ｂ）は体重値データ送信部分の送信信号の一例であり、コントロール信号V-CONTがオン状態の間に、体重値のデータ部のシリアル送信データＴＸが複数回（図示する例では３回）送信される。
【００８９】
なお、送信は、V-CONTがオン状態となってからＴ１の時間が経過した時点で最初の送信が行われ、Ｔ２の時間間隔をおいて次に送信が行われる。
【００９０】
図１０はデータ管理装置で形成するファイルの一例である。ファイルは前記図２で示したファイルフィーマットに従って形成される。ファイルは、ユーザー毎及びデータ種別毎に所定期間についてデータを格納する。図１０はデータの格納期間を月単位として例である。
【００９１】
図１０（ａ）は、“９８７６５”の暗証番号で識別されるユーザーの体重の２月分のデータを格納するファイル例を示している。ファイルはファイル名とファイル内容を備え、ファイル名には、「９８７６５０４−０２−ＴＡＩｎ．ＣＳＶ」が付されている。
【００９２】
“９８７６５”の第３識別コードは、 ユーザー暗証番号であって、被測定者である特定のユーザーを表し、“０４−０２”は年月が２００４年の２月であることを表し、“ＴＡＩ”の第１識別コードはデータ種別が体重データであることを表し、“ｎ”はユーザーＩＤを表している。また、“ＣＳＶ”はデータ形式がＣＳＶ形式であることを表している。また、ファイル内容には、日と時分の時刻情報と測定値が格納されている。図１０（ｂ）の３月分においても同様である。
【００９３】
従って、この例では、年、月、日、時分の時刻データの内で、年月についてはファイル名に付し、日時分についてはデータ内容に各測定データに並べて格納することによって、時刻データの一部（年月）を共通化してファイル名に付すことができる。
【００９４】
上記のように、データ種別を表す第１識別コードとユーザーを表す第３識別コードをファイル名に付すことによってデータを共通化することができる。
【００９５】
データ管理装置は、形成したファイルを外部サーバーに送信する際に電子メールの形態を利用することができる。ファイルを電子メールの形態で送信する際、ファイル名に付された内容を電子メールの表題に付すことで、送信内容である測定データの書誌事項を確認することができる。
【００９６】
図１１は電子メールによるファイル送信の一例を示す図である。図１１（ａ）において、表題の部分には、ファイル名に付されている第３識別コード（ユーザー暗証番号），年月，第１識別コードが読み出されて表示される。従って、電子メールの受信者は、電子メールの表題によって、送信された測定データのデータ種別、被測定者、測定年月等の情報を、各測定データを解析することなく知ることができる。なお、第３識別コードに代えて氏名とすることもできる。
【００９７】
図１１（ｂ）は、体重値を電子メールで送信した例を示している。電子メールの表題には、一例として「９８７６５，０４−０２，ＴＡＩｎ」が表記され、“９８７６５”のユーザー暗証番号からユーザーを識別し、“０４−０２”から年月を識別し、“ＴＡＩ”から測定データの種別が体重測定であることを識別することができる。
【００９８】
また、送信内容には測定データが記述される。図示する「０１，１２：５８：０１，６０」の例では、１日１２時５８分０１秒の時刻データと６０ｋｇの測定データが記述されている。
【００９９】
次に、本発明を血圧測定に適用した例について、図１２〜図１７を用いて説明する。
【０１００】
図２は血圧測定におけるデータ形態の遷移を説明する図である。ここで、血圧計で測定された測定データはデータ管理装置に送られ、データ管理装置はファイルを形成し外部サーバーに送る。
【０１０１】
血圧計からはＩＤと複数のデータがデータ管理装置に送られる。血圧計で形成されるＩＤは血圧計の機器を表す機器コード“ＫＴＵ”とＩＤナンバー“ｎ”により構成することができる。また、血圧計で形成される複数のデータは、最高血圧測定を表す“ＳＹＳ”とＩＤナンバー“ｎ”と測定データ“＃＃＃”と時刻データを含むデータと、最低血圧測定を表す“ＤＩＡ”とＩＤナンバー“ｎ”と測定データ“＃＃＃”と時刻データを含むデータ、脈拍数測定を表す“ＰＬＳ”とＩＤナンバー“ｎ”と測定データ“＃＃＃”と時刻データを含むデータの各データから構成される。
【０１０２】
ＩＤナンバー“ｎ”はユーザーを識別するためのユーザー識別コードであり、“ＳＹＳ”，“ＤＩＡ”，“ＰＬＳ”はデータ種別を表す第２識別コードである。
【０１０３】
データ管理装置は、血圧計から入力したＩＤと複数のデータとを用いてファイルを各データ種別毎に形成する。ここでは最高血圧，最低血圧，脈拍の３種のデータ種毎にファイルを形成する。
【０１０４】
ファイルはファイル名とデータから構成される。ファイル名には、ユーザーを特定する第３の識別コード、年月、データ種別を表す第１識別コード等が付され、データ部分には日時分、及び測定データが格納される。
【０１０５】
このファイル形成において、データ種別を表す第１識別コードは第２識別コードに基づいて設定され、また、ユーザーを識別する第３識別コードはＩＤナンバーに基づいて設定される。これらの識別コードの設定は、第１識別コードと第２識別コードとの対応関係、及び第３識別コードとＩＤナンバーとの対応関係を予め記憶しておくことにより行うことができる。
【０１０６】
データ管理装置で形成されたファイルは、外部サーバーに送信される。外部サーバーでは、データ管理装置から送信されたファイルに基づいてデータ管理を行う。このデータ管理において、ユーザーの特定は第３識別コードに基づいて行われる。例えば、第３識別コードがユーザー暗証番号である場合には、ユーザー暗証番号とユーザー名との対応関係を用意しておき、この対応関係に基づいて送信されたデータ名中に付与されたユーザー暗証番号からユーザー名を読み出すことで行うことができる。
【０１０７】
図１２は、血圧測定におけるデータ送信の流れを説明するためのフローチャートである。なお、文中の（）に示す番号は、図１３に付した番号と対応している。
【０１０８】
はじめに、血圧計の電源をオンとして（２１）、血圧計に設定されているＩＤ、及び機器コードをデータ管理装置に送信する（２２）。このＩＤはユーザーを識別するものであり、データ管理装置は、血圧計から受け取ったＩＤを確認する。また、機器コードから測定データの送信先が血圧計であることを確認する。データ管理装置は、このユーザーと血圧計の確認に基づいて、データ管理装置に記録している各ユーザーの過去の測定データを読み出し、表示することができる（２３）。
【０１０９】
また、データ管理装置は、機器コードに基づいて血圧測定に関するガイダンスを血圧計に送信する。このガイダンスは、血圧測定に関連する指示や案内の他、各ユーザーに伝える連絡事項とすることもできる（２４）。
【０１１０】
測定者は、表示されたガイダンスを参考にして血圧測定を行う（２５，２６）。血圧計は、測定結果を表示し（２７）、測定データをＩＤナンバーと共にデータ管理装置に送信する。このデータ送信は、最高血圧データ，最低血圧データ，脈拍データの各データ種別毎に行われる（２８）。血圧計はデータを送信した後、電源をオフとして測定を完了する（２９）。
【０１１１】
データ管理装置では、血圧計からのＩＤナンバー及び測定データを含む各データを受信し（３０）、これらに基づいて、最高血圧ファイル、最低血圧ファイル，脈拍ファイルのように、データ種別毎にファイルを形成する（３１〜３３）。形成されたファイルは蓄積され、所定時期あるいは送信操作により、外部サーバーに送信する。所定時期は、月単位や週単位の他、任意に設定した期間を単位と設定することができる（３４）。
【０１１２】
外部サーバーは、データ管理装置から送信されたファイルを受信し（３５）、データの記録や解析を行う。このデータの記録や解析において、ファイルのファイル名に付された第１識別コードや第３識別コードを参照することによって、送られた測定データのデータ種別や、ユーザーを識別することができる（３６）。
【０１１３】
図１４は血圧計からデータ管理装置に送られるデータの形態を説明するための図である。血圧計から送られるデータは、ＩＤ部とデータ部とから構成される。
【０１１４】
図１４（ａ）はＩＤ部の一例である。ここで、はじめの“ＦＦＦＦＦＦＦＦＦＦ”はＩＤ部のデータの始まりを表し、“ＫＴＵ”は機器が血圧計であることを表す機器コードを表し、“ｎ”はユーザーのＩＤナンバーを表している。ここで“ＫＴＵｎ”は複数回（例えば５回）繰り返される。また、最後の“ＲＲＲＲＲＲＲＲＲＲ”はＩＤ部のデータの終わりを表し、“￥ｒ”は改行コードを表している。なお、このＩＤ部は、最高血圧のファイル、最低血圧のファイル、脈拍のファイルの各ファイルに共通している。
【０１１５】
また、図１４（ｂ）はデータ部の一例であり、最高血圧のデータ部，最低血圧のデータ部，脈拍のデータ部を示している。
【０１１６】
例えば、最高血圧のデータ部において、はじめの“ＦＦＦＦＦＦＦＦＦＦ”はデータ部のデータの始まりを表し、“ＳＹＳ”は測定データの種別が最高血圧であることを表し“ｎ”はユーザーのＩＤナンバーを表し、“＃＃＃”はデータ値を表している。ここで“ＳＹＳｎ”は複数回（例えば５回）繰り返される。また、最後の“ＲＲＲＲＲＲＲＲＲＲ”はデータ部のデータの終わりを表し、“￥ｒ”は改行コードを表している。最低血圧のデータ部及び脈拍のデータ部においても同様である。
【０１１７】
図１４（ｃ）はデータ値の一例である。また、図１４（ｄ）はＩＤナンバーｎの設定例を示している。ＩＤナンバーを２つの設定値ＩＤ１とＩＤ２で設定する場合には、“ｎ”は１〜４の４種類を設定することができる。この各ｎの値に対して利用者Ａ〜Ｄを対応づけておくことにより、ＩＤナンバーｎによって利用者Ａ〜Ｄを特定することができる。
【０１１８】
なお、ここでは、ＩＤナンバーｎを１〜４の４種類としているが、設定値の個数を増やすことでより多くのＩＤナンバーｎを設定することができる。
【０１１９】
図１５は、血圧計からデータ管理装置への送信を行う一構成例を説明するための図である。血圧計においても、前記した体重計と同様に、データ管理装置へのデータ送信において無線カートリッジ等の送信アダプタを利用することができる。送信アダプタは、測定装置で測定した測定データをデータ管理装置に送信するために、測定装置から送信データを取得して送信処理を行う。
【０１２０】
図１５に示す無線カートリッジ（送信アダプタ）は、血圧計と組み合わせた場合を示している。無線カートリッジは、ＩＤナンバーを設定するための設定スイッチを備え、このスイッチの切り換えでＩＤ１とＩＤ２を設定することによって、図１４（ｄ）に示したようにＩＤナンバーを設定することができる。
【０１２１】
無線カートリッジと血圧計とを接続すると、無線カートリッジに設定されているＩＤナンバーは血圧計本体のＣＰＵに送られる。ＣＰＵは、送られたＩＤナンバーを用いて前記図１４（ａ）に示すようなＩＤ部を形成し、また、測定した最高血圧，最低血圧，脈拍数を用いて前記図１４（ｂ）に示すようなデータ部を形成する。さらに、ＣＰＵは、形成したＩＤ部及びデータ部を用いて送信信号（シリアル送信データＴＸ，コントロール信号Ｖ−ＣＯＮＴ）を形成し、無線カートリッジに送る。無線カートリッジは、送られた送信信号をアンテナから送信する。図１５に示す構成例では、アンテナを血圧計本体に設ける構成であり、この構成では無線カートリッジのアンテナ端子から血圧計本体のアンテナに送信信号が送られることにより送信が行われる。
【０１２２】
送信信号はシリアル送信データ，コントロール信号からなり、図１６はシリアル送信データ，コントロール信号の一例を示している。
【０１２３】
図１６（ａ）はＩＤ送信部分の送信信号の一例であり、コントロール信号V-CONTがオン状態の間に、ＩＤ部のシリアル送信データＴＸが複数回（図示する例では３回）送信される。また、図１６（ｂ）は血圧データ送信部分の送信信号の一例であり、コントロール信号V-CONTがオン状態の間に、最高血圧，最低血圧，脈拍数のデータ部のシリアル送信データＴＸが複数回（図示する例では３回）送信される。
【０１２４】
なお、送信は、V-CONTがオン状態となってからＴ１の時間が経過した時点で最初の送信が行われ、Ｔ２の時間間隔をおいて次に送信が行われる。
【０１２５】
図１７はデータ管理装置で形成するファイルの一例である。ファイルは前記図２で示したファイルフィーマットに従って形成される。ファイルは、ユーザー毎及びデータ種別毎に所定期間についてデータを格納する。図１７はデータの格納期間を月単位として例である。
【０１２６】
図１７（ａ），（ｂ）は、“９８７６５”の暗証番号で識別されるユーザーの最高血圧の２月分及び３月分のデータを格納するファイル例を示している。ファイルはファイル名とファイル内容を備え、ファイル名には、「９８７６５０４−０２−ＳＹＳｎ．ＣＳＶ」，「９８７６５０４−０３−ＳＹＳｎ．ＣＳＶ」が付されている。
【０１２７】
“９８７６５”の第３の識別コードは、ユーザーの暗証番号であって、被測定者である特定のユーザーを表し、“０４−０２”，“０４−０３”は年月が２００４年の２月及び３月であることを表し、“ＳＹＳ”の第１識別コードはデータ種別が最高血圧データであることを表し、“ｎ”はユーザーＩＤを表している。また、“ＣＳＶ”はデータ形式がＣＳＶ形式であることを表している。また、ファイル内容には、日と時分の時刻情報と測定値が格納されている。また、図１７（ｃ），（ｄ）は、“９８７６５”の暗証番号で識別されるユーザーの最低血圧の２月分及び３月分のデータを格納するファイル例を示している。
【０１２８】
上記例では、年、月、日、時分の時刻データの内で、年月についてはファイル名に付し、日時分についてはデータ内容に各測定データに並べて格納することによって、時刻データの一部（年月）を共通化してファイル名に付すことができる。
【０１２９】
上記のように、データ種別を表す第１識別コードとユーザーを表す第３識別コードをファイル名に付すことによってデータを共通化することができる。
【０１３０】
データ管理装置で形成した、最高血圧値、最低血圧値、脈拍数の各ファイルについても電子メールの形態で外部サーバーに送信することができる。
【０１３１】
なお、上記例で示したＣＳＶ形式は、各データを“，”等で区切りながらつなげてなるデータ形式であるが、本発明の用いるデータ形式はこのＣＳＶ形式に限られるものではなく、他のデータ形式とすることもできる。
【０１３２】
本発明の形態によれば、測定装置から送られるデータにデータ種別を表す第２識別コードやユーザーを表すユーザー識別コードを付与することにより、データ管理装置におけるファイル形成において、測定装置から送られた識別コードに基づいてデータ種別を表す第１識別コードやユーザーを表す第３識別コードを自動で組み込むことができるため、データ管理装置から外部サーバー等へのデータ送信において、識別コードを別個入力するという手間を省くことができる。
【０１３３】
本発明の形態によれば、ファイル形成においてデータ種別毎にファイルを形成してファイルを単位として送信するため、実際には測定しなかったデータや送信が不要とするデータについては送信を行わないため、送信するデータサイズは小さくなり、通信・読み込み速度を高速とすることができる。
【０１３４】
本発明と従来とにおいて、データ管理装置から外部サーバーへ送信するファイルのデータサイズの比較は例えば図１と図１８とを比較することで行うことができる。従来のファイルは、図１８に示すように、予め設定されたデータ項目について送信が不要なデータ項目についてもダミーデータを格納する構成であるため、ファイルは常に全データを含むため大きなデータサイズとなる。一方、本発明のファイルは、図１に示すように、送信するデータのみについてファイルを形成して送信するため、ファイルサイズを常に最小とすることができる。
【０１３５】
また、本発明ではデータ種別やユーザーや時刻等の共通するデータをファイル名に記述することによって、各データ毎に記述する場合と比較してデータサイズを小さくすることができる。
【０１３６】
また、ファイルはデータ種別毎に形成され、またそのファイルの特定もファイル名を変更することによって行うことができるため、データ項目の増加あるいは減少等の変更に対して容易に対応することができる。
【産業上の利用可能性】
【０１３７】
本発明の電気通信システムは、各個人の測定値を病院等の管理施設に送りデータ解析やデータ管理を行う健康管理システムの他、複数のデータ源で得られるデータを管理部に送るシステムに適用することができる。
【図面の簡単な説明】
【０１３８】
【図１】本発明の電気通信システムの概略構成及びデータ状態を説明するための概略図である。
【図２】本発明のファイルの一例であり、生体測定値の例を示す図である。
【図３】本発明の電気通信システムのデータ管理装置の構成を説明するための図である。
【図４】本発明の電気通信システムの測定装置の構成を説明するための図である。
【図５】本発明の体重測定におけるデータ形態の遷移を説明する図である。
【図６】本発明の体重測定におけるデータ送信の流れを説明するためのフローチャートである。
【図７】本発明の体重計からデータ管理装置に送られるデータの形態を説明するための図である。
【図８】本発明の体重計からデータ管理装置への送信を行う一構成例を説明するための図である。
【図９】本発明の体重測定におけるシリアル送信データ，コントロール信号の一例を示す図である。
【図１０】本発明のデータ管理装置で形成する体重測定のファイルの一例である。
【図１１】本発明の電子メールによるファイル送信の一例を示す図である。
【図１２】本発明の血圧測定におけるデータ形態の遷移を説明する図である。
【図１３】本発明の血圧測定におけるデータ送信の流れを説明するためのフローチャートである。
【図１４】本発明の血圧計からデータ管理装置に送られるデータの形態を説明するための図である。
【図１５】本発明の血圧計からデータ管理装置への送信を行う一構成例を説明するための図である。
【図１６】本発明の血圧測定におけるシリアル送信データ，コントロール信号の一例を示す図である。
【図１７】本発明のデータ管理装置で形成する血圧測定のファイルの一例である。
【図１８】従来の固定ファイルの一例を説明するための概略図である。
【図１９】測定データを固定ファイルに格納する例である。
【符号の説明】
【０１３９】
１  電気通信システム
２，２Ａ〜２Ｎ  生体測定装置
２ａ  電源スイッチ
２ｂ  生体検出装置
２ｃ  測定スイッチ
２ｄ  測定異常判定回路
２ｅ  制御／演算回路
２ｆ  記憶装置
２ｇ  送受信回路
３  データ管理装置（第１の端末）
３ａ  第１送受信回路
３ｂ  制御／演算回路
３ｃ  記憶装置
３ｄ  操作装置
３ｅ  グラフ化回路
３ｆ  表示装置
３ｇ  第２送受信回路
４  外部サーバー（第２の端末）
【図１】
2005293190.tif 000003
【図２】
2005293190.tif 000004
【図３】
2005293190.tif 000005
【図４】
2005293190.tif 000006
【図５】
2005293190.tif 000007
【図６】
2005293190.tif 000008
【図７】
2005293190.tif 000009
【図８】
2005293190.tif 000010
【図９】
2005293190.tif 000011
【図１０】
2005293190.tif 000012
【図１１】
2005293190.tif 000013
【図１２】
2005293190.tif 000014
【図１３】
2005293190.tif 000015
【図１４】
2005293190.tif 000016
【図１５】
2005293190.tif 000017
【図１６】
2005293190.tif 000018
【図１７】
2005293190.tif 000019
【図１８】
2005293190.tif 000020
【図１９】
2005293190.tif 000021